(57)【要約】【課題】コネクタキャップの紛失やコネクタへの装着忘れを防止しつつ、コネクタに対してコネクタキャップを容易に着脱できるコネクタユニットを実現する。【解決手段】コネクタユニット（１００）は、カメラ側ケーブルコネクタ（１５ａ）に取付けられた複数のコネクタキャップパーツ（５）を備え、カメラ側ケーブルコネクタに近づく方向に複数のコネクタキャップパーツが回動し、合わさってコネクタキャップ（５０）が形成される。【選択図】図１
2019179703.tif 000002
【特許請求の範囲】
【請求項１】
コネクタと、前記コネクタの側壁に回動可能に取付けられた複数のコネクタキャップパーツと、を備えたコネクタユニットであって、
前記複数のコネクタキャップパーツのそれぞれには、前記コネクタの先端部分を収容するための第１空間が形成されており、
前記複数のコネクタキャップパーツが前記コネクタに近づく方向に回動し、前記複数のコネクタキャップパーツが合わさってコネクタキャップが形成されることにより、複数の前記第１空間が連通して第２空間が形成され、前記先端部分が前記第２空間に収容されることを特徴とするコネクタユニット。
【請求項２】
前記複数のコネクタキャップパーツは、第１コネクタキャップパーツおよび第２コネクタキャップパーツで構成され、
前記第１コネクタキャップパーツには、第１部材が埋設されており、
前記第２コネクタキャップパーツには、前記第１部材と異なる第２部材が、前記第１コネクタキャップパーツと前記第２コネクタキャップパーツとが合わさった状態において前記第１部材と対向する位置に埋設されており、
前記第１部材と前記第２部材とが、磁力によって互いに引き付け合うことを特徴とする請求項１に記載のコネクタユニット。
【請求項３】
前記複数のコネクタキャップパーツは、第１コネクタキャップパーツおよび第２コネクタキャップパーツで構成され、
前記第１コネクタキャップパーツおよび前記第２コネクタキャップパーツの少なくとも一方には、凸部が形成されているとともに、前記第１コネクタキャップパーツおよび前記第２コネクタキャップパーツの少なくとも他方には、前記凸部と対応する凹部が形成されており、
前記第１コネクタキャップパーツと前記第２コネクタキャップパーツとが合わさった状態において、前記凸部と前記凹部とが嵌合することを特徴とする請求項１または２に記載のコネクタユニット。
【請求項４】
前記複数のコネクタキャップパーツを同じ方向に回動させる回動促進部をさらに備えており、
前記回動促進部によって前記複数のコネクタキャップパーツが前記コネクタに近づく方向に回動することにより、前記先端部分が前記第２空間に収容されることを特徴とする請求項１から３のいずれか１項に記載のコネクタユニット。
【請求項５】
前記回動促進部には、中空が形成されており、
前記コネクタが前記中空を貫通していることにより、前記回動促進部が前記コネクタの中心軸方向に摺動可能な状態となっており、
前記回動促進部が前記複数のコネクタキャップパーツに向けて摺動を開始してから、前記複数のコネクタキャップパーツについて、少なくとも一部が前記中空に収容されるまでの過程で、前記複数のコネクタキャップパーツが前記コネクタに近づく方向に回動し、前記先端部分が前記第２空間に収容されることを特徴とする請求項４に記載のコネクタユニット。
【請求項６】
前記複数のコネクタキャップパーツのそれぞれには、前記回動促進部としての弾性体が設けられており、
前記弾性体は、前記コネクタキャップパーツを前記コネクタに近づける方向に付勢する付勢力を有していることを特徴とする請求項４に記載のコネクタユニット。
【請求項７】
前記コネクタと接続されるケーブルとが接続されると、前記コネクタと接続されるケーブルの先端を、前記複数のコネクタキャップパーツで挟み込むことを特徴とする請求項６に記載のコネクタユニット。
【請求項８】
前記コネクタと接続されるケーブルの先端には、前記複数のコネクタキャップパーツと嵌合する溝が形成されており、
前記コネクタキャップパーツと前記溝とが嵌合した状態にて、前記コネクタと前記接続されるケーブルとが接続可能となることを特徴とする請求項７に記載のコネクタユニット。
【発明の詳細な説明】
【技術分野】
【０００１】
本発明はコネクタとコネクタに取付けられたコネクタキャップパーツとを備えたコネクタユニットに関する。
【背景技術】
【０００２】
例えば、電子機器と該電子機器との間の電気的接続を行うコネクタにおいて、非接続状態にあるときに該コネクタの開口部を塞ぐ必要が生じ得る。
【０００３】
特許文献１には、防塵性能に優れ、かつ構造が簡単である光コネクタレセプタクルを提供することを目的とした光コネクタレセプタクル、光接続用ユニットおよび光アウトレットの構成が開示されている。
【先行技術文献】
【特許文献】
【０００４】
【特許文献１】特開２０１３−１０５０４８号公報（２０１３年５月３０日公開）
【発明の概要】
【発明が解決しようとする課題】
【０００５】
ここで、電子機器の使用用途によっては、該電子機器の設置工程または除去工程においてコネクタの開口部を塞ぐことが必須となり得る場合がある。しかしながら、特許文献１には、電子機器の設置工程または除去工程においてコネクタの開口部を塞ぐことを観点とした発明ではない。
【０００６】
本発明の一態様は、コネクタキャップの紛失やコネクタへの装着忘れを防止しつつ、コネクタに対してコネクタキャップを容易に着脱できるコネクタユニットを実現することを目的とする。
【課題を解決するための手段】
【０００７】
上記の課題を解決するために、本発明の一態様に係るコネクタユニットは、コネクタと、前記コネクタの側壁に回動可能に取付けられた複数のコネクタキャップパーツと、を備えたコネクタユニットであって、前記複数のコネクタキャップパーツのそれぞれには、前記コネクタの先端部分を収容するための第１空間が形成されており、前記複数のコネクタキャップパーツが前記コネクタに近づく方向に回動し、前記複数のコネクタキャップパーツが合わさってコネクタキャップが形成されることにより、複数の前記第１空間が連通して第２空間が形成され、前記先端部分が前記第２空間に収容される。
【発明の効果】
【０００８】
本発明の一態様によれば、コネクタキャップとコネクタとを一体にさせることができ、コネクタキャップパーツを回動させることによってコネクタキャップを形成することができるという効果を奏する。
【図面の簡単な説明】
【０００９】
【図１】（ａ）から（ｄ）は、本発明の実施形態１に係るコネクタユニットの構成の一例を示す図である。
【図２】本発明の実施形態１に係る体内監視カメラシステム１の構成の一例を示す模式図である。
【図３】（ａ）から（ｆ）は、本発明の実施形態１に係るカメラユニットの体内設置方法の一例を示す模式図である。
【図４】（ａ）から（ｄ）は、本発明の実施形態１に係るカメラユニットの体内からの除去方法の一例を示す模式図である。
【図５】（ａ）および（ｂ）は、本発明の実施形態２に係るコネクタユニットの構成の一例を示す図である。（ｃ）は、本発明の実施形態２に係るカメラ側ケーブルコネクタと機器側ケーブルコネクタとの接続の一例を示す図である。
【図６】（ａ）および（ｂ）は、本発明の実施形態３に係るコネクタユニットの構成の一例を示す図である。（ｃ）は、本発明の実施形態３に係るカメラ側ケーブルコネクタと機器側ケーブルコネクタとの接続の一例を示す図である。
【図７】（ａ）から（ｆ）は、本発明の本実施形態４に係る回動促進部の構成の例を示す図である。
【図８】（ａ）から（ｃ）は、本発明の実施形態４の変形例に係るコネクタユニットの動作の一例を示す図である。
【図９】（ａ）から（ｄ）は、本発明の実施形態５に係るコネクタユニット１００の構成の一例を示す図である。
【図１０】（ａ）および（ｂ）は、本発明の実施形態５に係るカメラ側ケーブルコネクタと機器側ケーブルコネクタとの接続の一例を示す図である。
【図１１】（ａ）から（ｄ）は、本発明の実施形態６に係るコネクタキャップおよび設置治具の一例を示す図である。
【発明を実施するための形態】
【００１０】
〔実施形態１〕
以下、本発明の一実施形態について、詳細に説明する。
【００１１】
（コネクタユニット１００）
図２は、本実施形態の体内監視カメラシステム１の構成の一例を示す模式図である。本実施形態においては、コネクタユニット１００が体内監視カメラシステム１に適用される例について説明する。図２に示すように、カメラユニット１１は腹壁４１の内部、すなわち、体内に設置される。カメラユニット１１の体内の設置に伴い、カメラ側ケーブルコネクタ１５ａは、体内に、一旦、挿入された後、体外に引き出される。また、カメラユニット１１の体内からの除去に伴い、カメラ側ケーブルコネクタ１５ａは体内に、一旦、挿入された後、体外に引き出される。カメラユニット１１の設置の工程または除去の工程において、カメラ側ケーブルコネクタ１５ａの端子が体内にて濡れるとカメラ側ケーブルコネクタ１５ａに接触不良が生じる可能性がある。そのため、カメラ側ケーブルコネクタ１５ａを体内に挿入する場合、カメラ側ケーブルコネクタ１５ａにはコネクタキャップ５０が装着される。
【００１２】
図１の（ａ）から（ｄ）は、本実施形態に係るコネクタユニット１００の構成の一例を示す図である。詳細には、（ａ）は、カメラ側ケーブルコネクタ１５ａの先端部分１５３に、コネクタキャップ５０が装着されていない状態のコネクタユニット１００の正面図である。（ｂ）は、カメラ側ケーブルコネクタ１５ａの先端部分１５３に、コネクタキャップ５０が装着されている状態のコネクタユニット１００の正面図である。（ｃ）は、カメラ側ケーブルコネクタ１５ａの先端部分１５３に、コネクタキャップ５０が装着されていない状態のコネクタユニット１００の斜視図である。（ｄ）は、カメラ側ケーブルコネクタ１５ａの先端部分１５３に、コネクタキャップ５０が装着されている状態のコネクタユニット１００の斜視図である。
【００１３】
図１の（ａ）から（ｄ）に示すように、コネクタユニット１００は、カメラ側ケーブルコネクタ１５ａと、カメラ側ケーブルコネクタ１５ａの側壁１５１に回動可能に取付けられた複数のコネクタキャップパーツ５と、を備えている。
【００１４】
（カメラ側ケーブルコネクタ１５ａ）
カメラ側ケーブルコネクタ１５ａは機器側ケーブルコネクタ１５ｂに嵌まり、カメラ側ケーブル１２と機器側ケーブル１６とを接続する。カメラ側ケーブルコネクタ１５ａは内部に当該接続に用いる端子を備えている。図１の（ａ）から（ｄ）に示すように、カメラ側ケーブルコネクタ１５ａの側壁１５１には、２つのコネクタキャップパーツ５がヒンジ６０によって取付けられている。
【００１５】
（コネクタキャップ５０）
コネクタキャップ５０は、カメラ側ケーブルコネクタ１５ａに装着し、カメラ側ケーブルコネクタ１５ａの端子等を保護するものである。
【００１６】
図１の（ａ）から（ｄ）に示すように、コネクタキャップ５０は２つのコネクタキャップパーツ５によって構成される。また、図１の（ａ）および（ｂ）の破線で示すように、２つのコネクタキャップパーツ５のそれぞれには、カメラ側ケーブルコネクタ１５ａの先端部分１５３を収容するための第１空間５１が形成されている。図１の（ａ）に示すように、２つのコネクタキャップパーツ５がヒンジ６０を中心としてカメラ側ケーブルコネクタ１５ａに近づく方向に回動する。その結果、図１の（ｂ）に示すように、２つのコネクタキャップパーツ５が合わさることによって、２つのコネクタキャップパーツ５のそれぞれの第１空間５１は連通して第２空間５２が形成される。すなわち、図１の（ｂ）および（ｄ）に示すように、２つのコネクタキャップパーツ５によってコネクタキャップ５０が形成される。カメラ側ケーブルコネクタ１５ａの先端部分１５３は第２空間５２に収容される。
【００１７】
また、コネクタキャップ５０がカメラ側ケーブルコネクタ１５ａに装着されている状態から、２つのコネクタキャップパーツ５がヒンジ６０を中心としてカメラ側ケーブルコネクタ１５ａに遠ざかる方向に回動させると、コネクタキャップ５０がカメラ側ケーブルコネクタ１５ａから外れている状態となる。２つのコネクタキャップパーツ５がヒンジ６０を中心としてカメラ側ケーブルコネクタ１５ａに遠ざかる方向に回動することを可能とするため、コネクタユニットは以下の構成となっている。図１の（ｂ）に示すように、コネクタキャップ５０が形成されている状態では、カメラ側ケーブルコネクタ１５ａにおけるヒンジ６０よりも根元側の領域において、２つのコネクタキャップパーツ５間に隙間Ａが生じるようにコネクタキャップパーツ５が形成されている。
【００１８】
上記構成によれば、複数のコネクタキャップパーツ５をカメラ側ケーブルコネクタ１５ａに近づく方向に回動させるだけでコネクタキャップ５０を形成することができる。一方、カメラ側ケーブルコネクタ１５ａの接続時には、該コネクタキャップパーツ５をカメラ側ケーブルコネクタ１５ａから遠ざかる方向に回動させるだけで、カメラ側ケーブルコネクタ１５ａの先端部分１５３をコネクタキャップ５０から離脱させることができる。
【００１９】
それゆえ、カメラ側ケーブルコネクタ１５ａとコネクタキャップ５０とを一体化させてコネクタキャップ５０の紛失やカメラ側ケーブルコネクタ１５ａへの装着忘れを防止することができる。さらに、カメラ側ケーブルコネクタ１５ａに対してコネクタキャップ５０を容易に着脱できるコネクタユニット１００を実現することができる。
【００２０】
また、上記構成によれば、複数のコネクタキャップパーツ５をカメラ側ケーブルコネクタ１５ａに近づく方向に回動させてコネクタキャップ５０を形成できる。コネクタキャップ５０を形成すると、カメラ側ケーブルコネクタ１５ａの先端部分１５３がコネクタキャップ５０で包み込まれるような状態となる。したがって、例えばカメラ側ケーブルコネクタ１５ａの先端の開口部のみを塞ぐ構造のコネクタキャップ５０と比較して、カメラ側ケーブルコネクタ１５ａの先端領域のより広い領域を外部から遮断することができる。それゆえ、カメラ側ケーブルコネクタ１５ａの先端に設けられた端子に体液や体組織等が付着することによる接触不良や短絡などの発生に伴う映像の乱れ等を効果的に防止することができる。
【００２１】
（体内監視カメラシステム１）
ここで、体内監視カメラシステム１の詳細について図２を用いて説明する。体内監視カメラシステム１は医療に用いられるシステムである。図２に示すように、体内監視カメラシステム１は、カメラ側ケーブル１２を有する体内に導入されるカメラユニット１１（体内撮像装置）と、体内導入されたトロッカ３１（管状器具）との接続に用いるカメラ支持管１３と、カメラユニット制御機器１７およびディスプレイ１８（表示装置）を含む制御システムと、カメラ側ケーブル１２およびカメラユニット制御機器１７を接続する機器側ケーブル１６とを備える。
【００２２】
カメラ側ケーブル１２は、カメラユニット１１との接続端の反対側にカメラ側ケーブルコネクタ１５ａを有し、機器側ケーブル１６は、カメラユニット制御機器１７との接続端の反対側に機器側ケーブルコネクタ１５ｂを有する。
【００２３】
体内監視カメラシステム１では、腹壁４１に穿刺されたトロッカ３１の体内側の端部とカメラ支持管１３とが接続される。また、体内に導入されたカメラユニット１１と支持管とが接合され、カメラ側ケーブルコネクタ１５ａがカメラ支持管１３およびトロッカ３１を通って体外に引き出されている。
【００２４】
（カメラユニット１１の体内設置方法および除去方法）
次に、カメラユニット１１の体内設置方法の詳細について説明する。図３の（ａ）〜（ｆ）は、カメラユニット１１の体内設置方法の一例を示す模式図である。図３の（ａ）に示すように、まず、術者は、鉗子や内視鏡を体腔内に挿入するための孔（ポート）を腹壁４１に開け、ポートにトロッカ３２ａ〜３２ｃを挿入する。さらに、カメラユニット１１を体腔内に設置するために、腹壁４１における、患部を含む臓器全体を見渡すことのできる位置にポートを開け、トロッカ３１を挿入する。具体的には、針形状のオブチュレータをトロッカ３１内に通した状態でオブチュレータをポート位置に穿刺することでトロッカ３１が腹壁４１に挿入される。また、トロッカ３１は、低侵襲性を実現するために、直径が短いものが好ましい。具体的には、トロッカ３１は、直径が３ｍｍ以下であることが好ましい。なお、トロッカ３２ａ〜３２ｃおよびトロッカ３１の少なくとも一つが挿入された後、術者は、トロッカを通してガスを体内に送り、前もって体腔内を膨張させ、器具を挿入する空間を確保しておく。
【００２５】
次に、図３（ｂ）に示すように、術者は、トロッカ３２ｃを通して内視鏡３４を体腔内に挿入し、内視鏡３４を用いて体内を観察しながら以下の工程を行う。術者は、鉗子３３ａで把持したカメラユニット１１、カメラ側ケーブル１２、カメラ支持管１３およびコネクタユニット１００を、トロッカ３２ｂを通して体腔内に挿入する。このとき、カメラ側ケーブルコネクタ１５ａにはコネクタキャップ５０が装着されている。
【００２６】
次に、図３（ｃ）に示すように、術者は、鉗子３３ａを操作してカメラユニット１１をトロッカ３１の近傍に移動させるとともに、トロッカ３１を通して設置治具７を体腔内に挿入する。
【００２７】
次に、図３（ｄ）に示すように、術者は、設置治具７とコネクタユニット１００とを接続させ、カメラ側ケーブル１２を体外に引き出す。なお、カメラ側ケーブル１２の体外への引き出しについては、鉗子等を用いて行ってもよい。
【００２８】
次に、図３（ｅ）および（ｆ）に示すように、コネクタキャップパーツ５をカメラ側ケーブルコネクタ１５ａから遠ざかる方向に回動させることによって、コネクタキャップ５０をカメラ側ケーブルコネクタ１５ａの先端部分１５３から外す。
【００２９】
カメラユニット１１を体内に設置した後は、図２に示すように、カメラ側ケーブルコネクタ１５ａを機器側ケーブルコネクタ１５ｂに嵌め込んでカメラ側ケーブル１２と機器側ケーブル１６とを接続する。これにより、処置部の局所映像は、内視鏡制御機器１１７によってディスプレイ１１８に表示され、カメラユニット１１で撮影された臓器４２内の全体映像はカメラユニット制御機器１７によってディスプレイ１８に表示される。
【００３０】
次に、カメラユニット１１の除去方法の詳細について説明する。図４の（ａ）〜（ｄ）は、カメラユニット１１の体内からの除去方法の一例を示す模式図である。まず、図４の（ａ）に示すように、カメラ側ケーブルコネクタ１５ａに対して所定の位置に保持されているコネクタキャップパーツ５をカメラ側ケーブルコネクタ１５ａに近づく方向に回動させる。その結果、コネクタキャップ５０がカメラ側ケーブルコネクタ１５ａの先端部分１５３に装着する。
【００３１】
続いて、図４の（ｂ）に示すように、術者は、体内のカメラユニット１１を鉗子３３ａにて把持した状態で、カメラ支持管１３とカメラユニット１１との隙間に鉗子３３ｃを挿し込み、鉗子３３ｃを操作してカメラ支持管１３とカメラユニット１１とを分離する。次いで、図４の（ｃ）から（ｄ）に示すように、術者は、カメラ支持管１３をカメラユニット１１から引き離し、トロッカ３２ｂから、カメラユニット１１、カメラ側ケーブル１２、カメラ支持管１３およびコネクタユニット１００を体外に導出する。このとき、カメラ側ケーブル１２およびコネクタユニット１００は、トロッカ３１を通して一旦体内に戻された後、トロッカ３２ｂを通して体外に引き出される。
【００３２】
〔実施形態２〕
本発明の他の実施形態について、以下に説明する。なお、説明の便宜上、上記実施形態にて説明した部材と同じ機能を有する部材については、同じ符号を付記し、その説明を繰り返さない。
【００３３】
（概要）
本実施形態においては、コネクタキャップパーツ５は、磁力を用いてコネクタキャップ５０の装着状態を保持する第１部材５３または第２部材５４を備えている。
【００３４】
（第１コネクタキャップパーツ５ａおよび第２コネクタキャップパーツ５ｂ）
図５の（ａ）および（ｂ）は、本実施形態に係るコネクタユニット１００の構成の一例を示す図である。図５の（ａ）および（ｂ）に示すように、本実施形態においては、第１コネクタキャップパーツ５ａおよび第２コネクタキャップパーツ５ｂによって、コネクタキャップ５０が構成される。
【００３５】
第１コネクタキャップパーツ５ａには、第１部材５３が埋設されている。また、第２コネクタキャップパーツ５ｂには、第１部材５３と異なる第２部材５４が埋設されている。
【００３６】
コネクタキャップ５０が形成されている状態、すなわち、第１コネクタキャップパーツ５ａと前記第２コネクタキャップパーツ５ｂとが合わさった状態において、第１部材５３と第２部材５４とは対向するように配置されている。図５に示す例では、第１部材５３は第１コネクタキャップパーツ５ａの先端に設けられている。また、第２部材５４は第２コネクタキャップパーツ５ｂの先端に設けられている。
【００３７】
また、第１部材５３は磁性体であり、第２部材５４は磁石である。そのため、図５の（ｂ）に示すように、コネクタキャップ５０が形成されている状態において、第１部材５３と第２部材５４とは磁力によって互いに引き付け合う。
【００３８】
なお、コネクタキャップ５０においては第１部材５３と第２部材５４とが引き付けあう構成であればよく、例えば、第１部材５３および第２部材５４の両方を磁石としてもよい。
【００３９】
上記構成によれば、第１部材５３と第２部材５４との間で生じる磁力によって、第１コネクタキャップパーツ５ａと第２コネクタキャップパーツ５ｂとが合わさった状態をより強固に維持することができる。言い換えれば、コネクタキャップ５０が形成された状態（コネクタキャップの装着状態）をより強固に維持することができる。それゆえ、第１部材５３および第２部材５４が埋設されていない構成と比較して、ユーザが意図しないカメラ側ケーブルコネクタ１５ａからのコネクタキャップ５０の離脱を効果的に防止できる。また、コネクタキャップ５０の装着状態をより安定させることができる。
【００４０】
（カメラ側ケーブルコネクタ１５ａと機器側ケーブルコネクタ１５ｂとの接続例）
図５の（ｃ）は、本実施形態に係るカメラ側ケーブルコネクタ１５ａと機器側ケーブルコネクタ１５ｂとの接続の一例を示す図である。
【００４１】
カメラ側ケーブルコネクタ１５ａと機器側ケーブルコネクタ１５ｂとが接続すると、第１コネクタキャップパーツ５ａおよび第２コネクタキャップパーツ５ｂは機器側ケーブルコネクタ１５ｂを挟み込む構成としてもよい。当該構成において、例えば、機器側ケーブルコネクタ１５ｂの構成を以下に記載の構成としてもよい。図５の（ｃ）に示すように、カメラ側ケーブルコネクタ１５ａと機器側ケーブルコネクタ１５ｂとが接続した状態にて、機器側ケーブルコネクタ１５ｂにおける第１部材５３（磁性体）と接触する位置に磁石１６１が設けられていてもよい。また、カメラ側ケーブルコネクタ１５ａと機器側ケーブルコネクタ１５ｂとが接続した状態にて、機器側ケーブルコネクタ１５ｂにおける第２部材５４（磁石）と接触する位置に磁性体１６２が設けられていてもよい。
【００４２】
上記の構成によれば、カメラ側ケーブルコネクタ１５ａと機器側ケーブルコネクタ１５ｂとの接続強度を強めることができる。そのため、ユーザが意図しないカメラ側ケーブルコネクタ１５ａと機器側ケーブルコネクタ１５ｂとの乖離を防止することができる。
【００４３】
〔実施形態３〕
本発明の他の実施形態について、以下に説明する。なお、説明の便宜上、上記実施形態にて説明した部材と同じ機能を有する部材については、同じ符号を付記し、その説明を繰り返さない。
【００４４】
（概要）
本実施形態においては、各コネクタキャップパーツ５は凸部５６または凹部５５を備えている。凸部５６または凹部５５が嵌合することによって、コネクタキャップ５０の装着状態を保持する。
【００４５】
（第１コネクタキャップパーツ５ａおよび第２コネクタキャップパーツ５ｂ）
図６の（ａ）および（ｂ）は、本実施形態に係るコネクタユニット１００の構成の一例を示す図である。図６の（ａ）および（ｂ）に示すように、本実施形態においては、第１コネクタキャップパーツ５ａおよび第２コネクタキャップパーツ５ｂによって、コネクタキャップ５０が構成される。
【００４６】
第１コネクタキャップパーツ５ａおよび第２コネクタキャップパーツ５ｂの少なくとも一方には、凸部５６が形成されている。また、第１コネクタキャップパーツ５ａおよび第２コネクタキャップパーツ５ｂの少なくとも他方には、凸部５６と対応する凹部５５が形成されている。
【００４７】
図６に示す例では、凹部５５は第１コネクタキャップパーツ５ａの先端付近に設けられている。また、凸部５６は第２コネクタキャップパーツ５ｂの先端付近に設けられている。コネクタキャップ５０が形成されている状態、すなわち、第１コネクタキャップパーツ５ａと第２コネクタキャップパーツ５ｂとが合わさった状態において、凸部５６と凹部５５とは対向するように配置されている。そのため、第１コネクタキャップパーツ５ａと第２コネクタキャップパーツ５ｂとが合わさった状態において、凸部５６と凹部５５とは嵌合する。
【００４８】
上記構成によれば、凸部と凹部との嵌合によって、コネクタキャップ５０の装着状態をより強固に維持することができる。それゆえ、凸部５６および凹部５５が形成されていない構成と比較して、ユーザが意図しないカメラ側ケーブルコネクタ１５ａからのコネクタキャップ５０の離脱を効果的に防止できる。また、コネクタキャップの装着状態をより安定させることができる。
【００４９】
（カメラ側ケーブルコネクタ１５ａと機器側ケーブルコネクタ１５ｂとの接続例）
図６の（ｃ）は、本実施形態に係るカメラ側ケーブルコネクタ１５ａと機器側ケーブルコネクタ１５ｂとの接続の一例を示す図である。
【００５０】
カメラ側ケーブルコネクタ１５ａと機器側ケーブルコネクタ１５ｂとが接続すると、第１コネクタキャップパーツ５ａおよび第２コネクタキャップパーツ５ｂは機器側ケーブルコネクタ１５ｂを挟み込む構成としてもよい。当該構成において、機器側ケーブルコネクタ１５ｂの構成を以下に記載の構成としてもよい。例えば、図６の（ｃ）に示すように、カメラ側ケーブルコネクタ１５ａと機器側ケーブルコネクタ１５ｂとが接続した状態にて、機器側ケーブルコネクタ１５ｂにおける凹部５５と接触する位置に凸部１６３が設けられていてもよい。また、カメラ側ケーブルコネクタ１５ａと機器側ケーブルコネクタ１５ｂとが接続した状態にて、機器側ケーブルコネクタ１５ｂにおける凸部５６と接触する位置に凹部１６４が設けられていてもよい。カメラ側ケーブルコネクタ１５ａと機器側ケーブルコネクタ１５ｂとが接続となると、凹部５５と凸部１６３とは嵌合可能となり、また、凸部５６と凹部１６４とは嵌合可能となる。
【００５１】
上記の構成によれば、凹部５５と凸部１６３との嵌合および凸部５６と凹部１６４との嵌合によって、カメラ側ケーブルコネクタ１５ａと機器側ケーブルコネクタ１５ｂとの接続強度を強めることができる。そのため、ユーザが意図しないカメラ側ケーブルコネクタ１５ａと機器側ケーブルコネクタ１５ｂとの乖離を防止することができる。
【００５２】
また、第１コネクタキャップパーツ５ａの凹部５５と機器側ケーブルコネクタ１５ｂの凸部１６３とが対向する向きで、カメラ側ケーブルコネクタ１５ａと機器側ケーブルコネクタ１５ｂとを接続するようにユーザに意識させることができる。すなわち、上記の構成によれば、カメラ側ケーブルコネクタ１５ａと機器側ケーブルコネクタ１５ｂとを適当な向きでユーザに接続させるガイドの役割を果たすことができる。そのため、誤った向きでカメラ側ケーブルコネクタ１５ａと機器側ケーブルコネクタ１５ｂとを接続することを原因とした破損等のトラブルを防止することができる。
【００５３】
〔実施形態４〕
本発明の他の実施形態について、以下に説明する。なお、説明の便宜上、上記実施形態にて説明した部材と同じ機能を有する部材については、同じ符号を付記し、その説明を繰り返さない。
【００５４】
（概要）
本実施形態においては、コネクタユニット１００は、コネクタキャップパーツ５を回動させる回動促進部を備える。
【００５５】
（回動促進部５００）
回動促進部５００は、複数のコネクタキャップパーツ５を同じ方向に回動させる。例えば、回動促進部５００によって複数のコネクタキャップパーツ５をカメラ側ケーブルコネクタ１５ａに近づく方向に回動させる。その結果、カメラ側ケーブルコネクタ１５ａの先端部分１５３がコネクタキャップ５０の第２空間５２に収容される。
【００５６】
上記構成によれば、回動促進部５００によって、複数のコネクタキャップパーツ５をカメラ側ケーブルコネクタ１５ａに近づく方向にもカメラ側ケーブルコネクタ１５ａから遠ざかる方向にも回動させることができる。それゆえ、回動促進部５００を備えていない構成と比較して、ユーザはコネクタキャップをコネクタに対して容易に着脱することができる。
【００５７】
ここで、回動促進部５００の例を以下に説明する。図７の（ａ）から（ｆ）は、本実施形態に係る回動促進部５００の構成の例を示す図である。
【００５８】
（回動促進部５００の例１）
図７の（ａ）および（ｂ）に示す例では、回動促進部５００はスライド部５７および作用部５８を備えている。図７の（ａ）はコネクタキャップ５０がカメラ側ケーブルコネクタ１５ａに装着されていない状態のコネクタユニット１００を示している。また、図７の（ｂ）はコネクタキャップ５０がカメラ側ケーブルコネクタ１５ａに装着されている状態のコネクタユニット１００を示している。
【００５９】
図７の（ａ）および（ｂ）に示すように、スライド部５７はコネクタキャップパーツ５よりもカメラ側ケーブルコネクタ１５ａの根元側に配置されている。スライド部５７は、カメラ側ケーブルコネクタ１５ａの中心軸に沿う方向にスライドする。スライド部５７は作用部５８の末端と接続している。例えば、作用部５８は針金等を適用してもよい。スライド部５７はスライドすることによって、各作用部５８に対してカメラ側ケーブルコネクタ１５ａの中心軸に沿う方向に力を加える。さらに、作用部５８のそれぞれは、スライド部５７と接続している末端とは反対の末端にてコネクタキャップパーツ５と接続している。例えば、ユーザは、スライド部５７をカメラ側ケーブルコネクタ１５ａの根元側の方向にスライドさせることによって、コネクタキャップパーツ５をカメラ側ケーブルコネクタ１５ａに遠ざかる方向に回動させる。すなわち、スライド部５７をカメラ側ケーブルコネクタ１５ａの根元側に向かう方向にスライドさせることによって、カメラ側ケーブルコネクタ１５ａからコネクタキャップ５０を外す。
【００６０】
また、ユーザは、スライド部５７をカメラ側ケーブルコネクタ１５ａの先端側の方向にスライドさせることによって、コネクタキャップパーツ５をカメラ側ケーブルコネクタ１５ａに近づく方向に回動させる。すなわち、スライド部５７をカメラ側ケーブルコネクタ１５ａの先端側に向かう方向にスライドさせることによって、カメラ側ケーブルコネクタ１５ａにコネクタキャップ５０を装着させる。なお、カメラ側ケーブルコネクタ１５ａの先端側の方向とは、図７の（ａ）に示す矢印の方向を意味する。
【００６１】
（回動促進部５００の例２）
図７の（ｃ）および（ｄ）に示す回動促進部５００の例では、上述の「回動促進部５００の例１」にて説明した回動促進部５００の構成に加え、さらに、弾性体５９を備えている。本例においては、弾性体５９がバネである例を示す。
【００６２】
図７の（ｃ）はコネクタキャップ５０がカメラ側ケーブルコネクタ１５ａに装着されていない状態のコネクタユニット１００を示している。また、図７の（ｄ）はコネクタキャップ５０がカメラ側ケーブルコネクタ１５ａに装着されている状態のコネクタユニット１００を示している。
【００６３】
弾性体５９は、スライド部５７よりもカメラ側ケーブルコネクタ１５ａの根元側に、スライド部５７と隣接するように配置されている。また、スライド部５７がカメラ側ケーブルコネクタ１５ａの根元側にスライドすると、スライド部５７をカメラ側ケーブルコネクタ１５ａの先端側に押し返すように力を加える。
【００６４】
例えば、ユーザは、スライド部５７をカメラ側ケーブルコネクタ１５ａの根元側に向かう方向にスライドさせることによって、コネクタキャップパーツ５をカメラ側ケーブルコネクタ１５ａに遠ざかる方向に回動させる。すなわち、カメラ側ケーブルコネクタ１５ａからコネクタキャップ５０を外す。
【００６５】
その後、ユーザが、スライド部５７から手を放すと、弾性体５９がスライド部５７をカメラ側ケーブルコネクタ１５ａの先端側の方向にスライドさせる。そのため、コネクタキャップパーツ５はカメラ側ケーブルコネクタ１５ａに近づく方向に回動する。すなわち、カメラ側ケーブルコネクタ１５ａにコネクタキャップ５０が装着する。
【００６６】
また、カメラ側ケーブルコネクタ１５ａと機器側ケーブルコネクタ１５ｂとの接続が外れると、弾性体５９によってコネクタキャップ５０はカメラ側ケーブルコネクタ１５ａに自動で装着される。
【００６７】
（回動促進部５００の例３）
図７の（ｅ）および（ｆ）に示す例では、コネクタユニット１００は、回動促進部５００として弾性体６２を備えている。図７の（ｅ）はコネクタキャップ５０がカメラ側ケーブルコネクタ１５ａに装着されていない状態のコネクタユニット１００を示している。また、図７の（ｆ）はコネクタキャップ５０がカメラ側ケーブルコネクタ１５ａに装着されている状態のコネクタユニット１００を示している。
【００６８】
弾性体６２は、ヒンジ６０よりもカメラ側ケーブルコネクタ１５ａの根元側の各コネクタキャップパーツ５の間に配置されている。例えば、弾性体６２はバネである。弾性体６２は、ヒンジ６０よりもカメラ側ケーブルコネクタ１５ａの根元側における各コネクタキャップパーツ５の末端が遠ざかるように各コネクタキャップパーツ５に力を加える。そのため、各コネクタキャップパーツ５に力が加わっていない状態では、コネクタキャップ５０はカメラ側ケーブルコネクタ１５ａに装着されている。また、各コネクタキャップパーツ５に対して、弾性体６２が配置されている側の各コネクタキャップパーツ５の末端が近づくように力を加えると、コネクタキャップ５０はカメラ側ケーブルコネクタ１５ａから外れる。
【００６９】
また、カメラ側ケーブルコネクタ１５ａと機器側ケーブルコネクタ１５ｂとの接続を外すと、弾性体６２によってコネクタキャップ５０はカメラ側ケーブルコネクタ１５ａに自動で装着される。
【００７０】
上述の「回動促進部５００の例２」および「回動促進部５００の例３」については、以下のように表現することもできる。
【００７１】
複数のコネクタキャップパーツ５のそれぞれには、回動促進部としての弾性体５９または弾性体６２が設けられている。弾性体５９または弾性体６２は、コネクタキャップパーツ５をカメラ側ケーブルコネクタ１５ａに近づける方向に付勢する付勢力を有している。
【００７２】
（変形例）
ここで、トロッカ３１によって、コネクタキャップ５０がカメラ側ケーブルコネクタ１５ａに装着される動作の例について、図８を用いて説明する。換言すると、本例においては、トロッカ３１が回動促進部として機能する。
【００７３】
図８は、コネクタユニット１００の動作の一例を示す図である。本例においてはコネクタユニット１００として、実施形態１にて説明したコネクタユニット１００の構成を適用することができる。
【００７４】
図８の（ａ）から（ｃ）に示すように、トロッカ３１には、中空３１１が形成されている。カメラ側ケーブルコネクタ１５ａが中空３１１を貫通することにより、トロッカ３１は、カメラ側ケーブルコネクタ１５ａに対して、カメラ側ケーブルコネクタ１５ａの中心軸方向に摺動可能な状態となる。換言すると、カメラ側ケーブルコネクタ１５ａをトロッカ３１内に挿入すると、トロッカ３１はカメラ側ケーブルコネクタ１５ａの中心軸方向に摺動したこととなる。
【００７５】
トロッカ３１が複数のコネクタキャップパーツ５に向けて摺動を開始してから、複数のコネクタキャップパーツ５の少なくとも一部が中空３１１に収容されるまでの過程において、以下の動作が起こる。複数のコネクタキャップパーツ５がカメラ側ケーブルコネクタ１５ａに近づく方向に回動し、先端部分１５３が第２空間５２に収容される。すなわち、カメラ側ケーブルコネクタ１５ａにコネクタキャップ５０が装着される。
【００７６】
上記構成によれば、トロッカ３１を複数のコネクタキャップパーツ５に向けて摺動させ、複数のコネクタキャップパーツ５について、少なくとも一部を中空３１１に収容させるだけで、カメラ側ケーブルコネクタ１５ａの先端部分１５３を第２空間５２に収容させることができる。
【００７７】
一方、トロッカ３１を複数のコネクタキャップパーツから遠ざかる方向に摺動させるだけで、カメラ側ケーブルコネクタ１５ａの先端部分１５３をコネクタキャップ５０から離脱させることができる。
【００７８】
〔実施形態５〕
本発明の他の実施形態について、以下に説明する。なお、説明の便宜上、上記実施形態にて説明した部材と同じ機能を有する部材については、同じ符号を付記し、その説明を繰り返さない。
【００７９】
（概要）
本実施形態においては、コネクタキャップパーツ５のそれぞれに回動促進部として弾性体６１が設けられている。また、コネクタキャップパーツ５は、弾性体６１の付勢力によって、接続されるケーブルの先端である機器側ケーブルコネクタ１５ｂを挟み込む。
【００８０】
（コネクタユニット１００）
図９の（ａ）から（ｄ）は、本実施形態に係るコネクタユニット１００の構成の一例を示す図である。詳細には、図９の（ａ）は、カメラ側ケーブルコネクタ１５ａにコネクタユニット１００が装着されている状態を示す図である。図９の（ｂ）は、図９の（ａ）の破線で示す部分を拡大した図である。図９の（ｃ）は、カメラ側ケーブルコネクタ１５ａにコネクタユニット１００から外れている状態を示す図である。図９の（ｄ）は、図９の（ｃ）の破線で示す部分を拡大した図である。
【００８１】
図９の（ａ）および（ｃ）に示すように、コネクタユニット１００は、カメラ側ケーブルコネクタ１５ａと、カメラ側ケーブルコネクタ１５ａの側壁１５１に回動可能に取付けられた複数のコネクタキャップパーツ５と、を備えている。
【００８２】
図９の（ｃ）の破線で示すように、２つのコネクタキャップパーツ５のそれぞれには、カメラ側ケーブルコネクタ１５ａの先端部分１５３を収容するための第１空間５１が形成されている。２つのコネクタキャップパーツ５がカメラ側ケーブルコネクタ１５ａに近づく方向に回動する。その結果、図９の（ａ）に示すように、２つのコネクタキャップパーツ５が合わさることによって、２つのコネクタキャップパーツ５のそれぞれの第１空間５１は連通して第２空間５２が形成される。すなわち、図９の（ａ）に示すように、２つのコネクタキャップパーツ５によってコネクタキャップ５０が形成される。カメラ側ケーブルコネクタ１５ａの先端部分１５３は第２空間５２に収容される。
【００８３】
（弾性体６１）
図９の（ｂ）および（ｄ）に示すように、コネクタキャップパーツ５のそれぞれには、回動促進部として弾性体６１が設けられている。弾性体６１は、コネクタキャップパーツ５をカメラ側ケーブルコネクタ１５ａに近づける方向に付勢する付勢力を有している。図９の（ｃ）および（ｄ）に示す矢印は、該付勢力によるコネクタキャップパーツ５の回動方向を示している。弾性体６１として、例えば、ねじりばねを適用してもよい。
【００８４】
上記構成によれば、弾性体６１の付勢力によって、複数のコネクタキャップパーツ５をカメラ側ケーブルコネクタ１５ａに近づく方向に自動的に回動させることができる。それゆえ、回動促進部として弾性体６１が備えられていない構成と比較して、容易にコネクタキャップ５０をカメラ側ケーブルコネクタ１５ａに装着することができる。
【００８５】
（カメラ側ケーブルコネクタ１５ａと機器側ケーブルコネクタ１５ｂとの接続例）
図１０は、本実施形態に係るカメラ側ケーブルコネクタ１５ａと機器側ケーブルコネクタ１５ｂとの接続の一例を示す図である。
【００８６】
図１０の（ａ）に示すように、カメラ側ケーブルコネクタ１５と機器側ケーブルコネクタ１５ｂとが接続されると、コネクタユニット１００は機器側ケーブルコネクタ１５ｂの先端を複数のコネクタキャップパーツ５で挟み込む。
【００８７】
上記構成によれば、カメラ側ケーブルコネクタ１５ａと機器側ケーブルコネクタ１５ｂとを接続した状態において、機器側ケーブルコネクタ１５ｂの先端を複数のコネクタキャップパーツ５で挟み込む。そのため、カメラ側ケーブルコネクタ１５ａと機器側ケーブルコネクタ１５ｂとの接続状態をより強固にすることができる。
【００８８】
また、機器側ケーブルコネクタ１５ｂの構成を以下に記載の構成としてもよい。図１０の（ｂ）に示すように、カメラ側ケーブルコネクタ１５ａと機器側ケーブルコネクタ１５ｂとが接続した状態にて、コネクタキャップパーツ５が嵌る溝１６５が機器側ケーブルコネクタ１５ｂに設けられていてもよい。
【００８９】
上記の構成によれば、第１コネクタキャップパーツ５ａと機器側ケーブルコネクタ１５ｂの溝１６５とが対向する向きで、カメラ側ケーブルコネクタ１５ａと機器側ケーブルコネクタ１５ｂとを接続するようにユーザに意識させることができる。すなわち、上記の構成によれば、カメラ側ケーブルコネクタ１５ａと機器側ケーブルコネクタ１５ｂとを適当な向きでユーザに接続させるガイドの役割を果たすことができる。例えば、第１コネクタキャップパーツ５ａが溝１６５に嵌っていない状態では、カメラ側ケーブルコネクタ１５ａと機器側ケーブルコネクタ１５ｂとが接続できない構成としてもよい。
【００９０】
〔実施形態６〕
本発明の他の実施形態について、以下に説明する。なお、説明の便宜上、上記実施形態にて説明した部材と同じ機能を有する部材については、同じ符号を付記し、その説明を繰り返さない。
【００９１】
（コネクタキャップ５０および設置治具７）
本実施形態１では、「カメラユニット１１の体内設置方法」において、設置治具７とコネクタユニット１００とを接続させ、カメラ側ケーブル１２を体外に引き出すことについて説明した。
【００９２】
本実施形態では、体内に挿入したコネクタユニット１００を体外に引き出すための設置治具７の構造の例および設置治具７に接続可能なコネクタキャップ５０の構造の例について、図１１を用いて説明する。
【００９３】
図１１の（ａ）から（ｄ）はコネクタキャップ５０および設置治具７の一例を示す図である。
【００９４】
図１１の（ａ）に示す例では、コネクタキャップ５０は先端に磁石部８６を備えている。また、設置治具７は先端に磁石部７１を備えている。設置治具７の磁石部７１とコネクタキャップ５０の磁石部８６とは体内にて磁力によって接続される。
【００９５】
図１１の（ｂ）に示す例では、コネクタキャップ５０は先端に引掛け具８７を備えている。また、設置治具７は先端に泡立て器形状先端部７２を備えている。泡立て器形状先端部７２は、両端の２点で接続された複数の曲線形状の保持ワイヤによって構成されており、楕円体（回転楕円体）の形状を有している。上記複数の保持ワイヤは、外力を加えることによって変形可能である。また、持ち手レバー部（図示せず）を操作すると、先端部駆動用硬質ワイヤを介し、泡立て器形状先端部７２を筒型棒状部内に引き込む構造としてもよい。泡立て器形状先端部７２は、力を加えていない状態では、先端が泡立て器状に広がることによって保持ワイヤ同士の間隔が大きくなり、レバーを引いて、この部分を筒型棒状部内に引き込む力を加えると、保持ワイヤ同士の間隔は小さくなる。このように、泡立て器形状先端部７２を構成する保持ワイヤ同士の間隔は可変である。
【００９６】
より具体的には、泡立て器形状先端部７２が筒型棒状部の外部にあるときの保持ワイヤ同士の間隔は、引掛け具８７の径に対応する大きさであることがより好ましい。これにより、引掛け具８７に泡立て器形状先端部７２を押し当てたときに、引掛け具８７を泡立て器形状先端部７２の内部に入れることができるとともに、引掛け具８７が泡立て器形状先端部７２の外部に出ることを抑制することができる。
【００９７】
図１１の（ｃ）に示す例では、コネクタキャップ５０は先端に第２接続部８８を備えている。また、設置治具７は先端に嵌込み部７３を備えている。コネクタキャップ５０の第２接続部８８は、設置治具７の嵌込み部７３の形状に応じた凹形状を有する。該凹形状に嵌込み部７３を嵌込むことにより設置治具７とコネクタキャップ５０とは接続される。
【００９８】
図１１の（ｄ）に示す例では、コネクタキャップ５０は先端にフック受付け部８９を備えている。また、設置治具７は先端にフック７４を備えている。設置治具７のフック７４をコネクタキャップ５０のフック受付け部８９に引掛けることにより設置治具７とコネクタキャップ５０とが接続される。
【００９９】
なお、コネクタキャップ５０とカメラ側ケーブルコネクタ１５ａとの接続力は、設置治具７とコネクタキャップ５０との接続力よりも大きくなるように設計することが好ましい。
【０１００】
〔まとめ〕
本発明の態様１に係るコネクタユニット（１００）は、コネクタ（カメラ側ケーブルコネクタ１５ａ）と、前記コネクタの側壁（１５１）に回動可能に取付けられた複数のコネクタキャップパーツ（５）と、を備えたコネクタユニットであって、前記複数のコネクタキャップパーツのそれぞれには、前記コネクタの先端部分（１５３）を収容するための第１空間（５１）が形成されており、前記複数のコネクタキャップパーツが前記コネクタに近づく方向に回動し、前記複数のコネクタキャップパーツが合わさってコネクタキャップ（５０）が形成されることにより、複数の前記第１空間が連通して第２空間（５２）が形成され、前記先端部分が前記第２空間に収容される。
【０１０１】
上記構成によれば、複数のコネクタキャップパーツをコネクタに近づく方向に回動させるだけでコネクタキャップを形成することができる。一方、コネクタの接続時には、該コネクタキャップパーツをコネクタから遠ざかる方向に回動させるだけで、コネクタの先端部分をコネクタキャップから離脱させることができる。
【０１０２】
それゆえ、コネクタとコネクタキャップとを一体化させてコネクタキャップの紛失やコネクタへの装着忘れを防止しつつ、コネクタに対してコネクタキャップを容易に着脱できるコネクタユニットを実現することができるという効果を奏する。
【０１０３】
また、上記構成によれば、複数のコネクタキャップパーツをコネクタに近づく方向に回動させてコネクタキャップを形成すると、コネクタの先端部分がコネクタキャップで包み込まれるような状態となる。したがって、例えばコネクタ先端の端子の開口部のみを塞ぐ構造のコネクタキャップと比較して、コネクタ先端のより広い領域を外部から遮断することができる。それゆえ、コネクタ先端の端子に体液や体組織等が付着することによる接触不良や短絡などの発生に伴う映像の乱れ等を効果的に防止することができるという効果を奏する。
【０１０４】
なお、本明細書中の「離脱」とは、複数のコネクタキャップパーツをコネクタから遠ざかる方向に回動させて、コネクタキャップ内の第２空間に収容されていたコネクタの先端部分を外部に開放することを意味する。
【０１０５】
本発明の態様２に係るコネクタユニットは、上記態様１において、前記複数のコネクタキャップパーツは、第１コネクタキャップパーツ（５ａ）および第２コネクタキャップパーツ（５ｂ）で構成され、前記第１コネクタキャップパーツには、第１部材（５３）が埋設されており、前記第２コネクタキャップパーツには、前記第１部材と異なる第２部材（５４）が、前記第１コネクタキャップパーツと前記第２コネクタキャップパーツとが合わさった状態において前記第１部材と対向する位置に埋設されており、前記第１部材と前記第２部材とが、磁力によって互いに引き付け合ってもよい。
【０１０６】
上記の構成によれば、第１部材と第２部材との間で生じる磁力によって、第１コネクタキャップパーツと前記第２コネクタキャップパーツとが合わさった状態をより強固に維持することができるという効果を奏する。言い換えれば、コネクタキャップが形成された状態（コネクタキャップの装着状態）をより強固に維持することができるという効果を奏する。それゆえ、第１部材および第２部材が埋設されていない構成と比較して、ユーザが意図しないコネクタからのコネクタキャップの離脱を効果的に防止できる。また、コネクタキャップの装着状態をより安定させることができるという効果を奏する。
【０１０７】
本発明の態様３に係るコネクタユニットは、上記態様１または２において、前記複数のコネクタキャップパーツは、第１コネクタキャップパーツおよび第２コネクタキャップパーツで構成され、前記第１コネクタキャップパーツおよび前記第２コネクタキャップパーツの少なくとも一方には、凸部（５６）が形成されているとともに、前記第１コネクタキャップパーツおよび前記第２コネクタキャップパーツの少なくとも他方には、前記凸部と対応する凹部（５５）が形成されており、前記第１コネクタキャップパーツと前記第２コネクタキャップパーツとが合わさった状態において、前記凸部と前記凹部とが嵌合してもよい。
【０１０８】
上記構成によれば、凸部と凹部との嵌合によって、コネクタキャップの装着状態をより強固に維持することができる。それゆえ、凸部および凹部が形成されていない構成と比較して、ユーザが意図しないコネクタからのコネクタキャップの離脱を効果的に防止できる。また、コネクタキャップの装着状態をより安定させることができるという効果を奏する。
【０１０９】
本発明の態様４に係るコネクタユニットは、上記態様１から３のいずれか１態様において、前記複数のコネクタキャップパーツを同じ方向に回動させる回動促進部（５００）をさらに備えており、前記回動促進部によって前記複数のコネクタキャップパーツが前記コネクタに近づく方向に回動することにより、前記先端部分が前記第２空間に収容されてもよい。
【０１１０】
上記構成によれば、回動促進部によって、複数のコネクタキャップパーツをコネクタに近づく方向にもコネクタから遠ざかる方向にも回動させることができる。それゆえ、回動促進部が備えられていない構成と比較して、コネクタキャップをコネクタに対して容易に着脱することができるという効果を奏する。
【０１１１】
本発明の態様５に係るコネクタユニットは、上記態様４において、前記回動促進部（トロッカ３１）には、中空（３１１）が形成されており、前記コネクタが前記中空を貫通していることにより、前記回動促進部が前記コネクタの中心軸方向に摺動可能な状態となっており、前記回動促進部が前記複数のコネクタキャップパーツに向けて摺動を開始してから、前記複数のコネクタキャップパーツについて、少なくとも一部が前記中空に収容されるまでの過程で、前記複数のコネクタキャップパーツが前記コネクタに近づく方向に回動し、前記先端部分が前記第２空間に収容されてもよい。
【０１１２】
上記構成によれば、回動促進部を複数のコネクタキャップパーツに向けて摺動させ、当該複数のコネクタキャップパーツについて、少なくとも一部を中空に収容させるだけで、コネクタの先端部分を第２空間に収容させることができる。一方、回動促進部を複数のコネクタキャップパーツから遠ざかる方向に摺動させるだけで、コネクタの先端部分をコネクタキャップから離脱させることができるという効果を奏する。
【０１１３】
本発明の態様６に係るコネクタユニットは、上記態様４において、前記複数のコネクタキャップパーツのそれぞれには、前記回動促進部としての弾性体（５９、６１、６２）が設けられており、前記弾性体は、前記コネクタキャップパーツを前記コネクタに近づける方向に付勢する付勢力を有していてもよい。
【０１１４】
上記構成によれば、弾性体の付勢力によって、複数のコネクタキャップパーツをコネクタに近づく方向に自動的に回動させることができる。それゆえ、回動促進部としての弾性体が備えられていない構成と比較して、さらに容易にコネクタキャップをコネクタに装着することができるという効果を奏する。
【０１１５】
本発明の態様７に係るコネクタは、上記態様６において、前記コネクタと接続されるケーブルとが接続されると、前記コネクタと接続されるケーブルの先端を、前記複数のコネクタキャップパーツで挟み込んでもよい。
【０１１６】
上記構成によれば、コネクタとケーブルとを接続した状態において、当該ケーブルの先端を複数のコネクタキャップパーツで挟み込むことにより、コネクタとケーブルとの接続状態をより強固にすることができるという効果を奏する。
【０１１７】
本発明の態様８に係るコネクタキャップは、コネクタの側壁に回動可能に取付けられた複数のコネクタキャップパーツを備えたコネクタキャップであって、前記複数のコネクタキャップパーツのそれぞれには、前記コネクタの先端部分を収容するための第１空間が形成されており、前記複数のコネクタキャップパーツが前記コネクタに近づく方向に回動し、前記複数のコネクタキャップパーツが合わさってコネクタキャップが形成されることにより、複数の前記第１空間が連通して第２空間が形成され、前記先端部分が前記第２空間に収容される。上記構成によれば、上記態様１と同様の効果を奏する。
【０１１８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１１９】
１５ａ  カメラ側ケーブルコネクタ（コネクタ）
１５１  側壁（コネクタの側壁）
３１    トロッカ（回動促進部）
３１１  中空
５      コネクタキャップパーツ
５ａ    第１コネクタキャップパーツ
５ｂ    第２コネクタキャップパーツ
５０    コネクタキャップ
５１    第１空間
５２    第２空間
５３    第１部材
５４    第２部材
５５    凹部
５６    凸部
５９    弾性体
６１    弾性体
６２    弾性体
５００  回動促進部
１００  コネクタユニット
【図１】
2019179703.tif 000003
【図２】
2019179703.tif 000004
【図３】
2019179703.tif 000005
【図４】
2019179703.tif 000006
【図５】
2019179703.tif 000007
【図６】
2019179703.tif 000008
【図７】
2019179703.tif 000009
【図８】
2019179703.tif 000010
【図９】
2019179703.tif 000011
【図１０】
2019179703.tif 000012
【図１１】
2019179703.tif 000013